(57)【特許請求の範囲】
【請求項１】
加熱回路を内蔵する室外機と放熱回路を内蔵する室内機とを結ぶ温水パイプと、前記室外機へ電力を供給する電源線と、前記室外機及び室内機を接続する制御信号ケーブルとを壁を通して接続する温水暖房機用接続装置において、
この温水暖房機用接続装置は前記壁に設けた取付用穴を覆うようにして取り付けられる接続ボックスと、この接続ボックスに電源を供給する電源コードを備え、
前記接続ボックス内には前記温水パイプ同士を接続する継手管と、前記電源線が接続される第１のコンセントと、前記制御信号ケーブル同士を接続するコネクタとが設けられるとともに、前記第１のコンセントへの電源供給と同期して電源供給がなされる第２のコンセントを有し、
前記温水暖房機用接続装置に前記室外機と前記室内機へ電源を供給するための分岐用中継部を構成するようにした温水暖房機用接続装置。
【請求項２】
第２のコンセントは室内機の電源コード接続用とした請求項１記載の温水暖房機用接続装置。
【請求項３】
第２のコンセントは接続ボックスに電源を供給する電源コードに設けた請求項１または２記載の温水暖房機用接続装置。
【請求項４】
接続ボックスに電源を供給する電源コードは接続箇所を複数個有するとともに、接続部形状を全て同一とした請求項１ないし３のいずれか１記載の温水暖房機用接続装置。
【請求項５】
接続ボックスに電源を供給する電源コードは第１のコンセントに接続する接続部と略直角方向に接続口を有する第２のコンセントよりなり、両方の接続部形状を同一とした請求項１ないし４のいずれか１記載の温水暖房機用接続装置。
【請求項６】
接続ボックスに電源を供給する電源コードは接続箇所を回動自在な構成とした請求項１ないし３のいずれか１記載の温水暖房機用接続装置。
【請求項７】
室内機と継手管を接続する温水パイプには、第２のコンセントに接続した室内機の電源コードをガイドする束線ガイド部を設けた請求項１または２記載の温水暖房機用接続装置。
【発明の詳細な説明】
【０００１】
【発明の属する技術分野】
本発明は、温水暖房システムにおいて、室外機と室内機の電源供給を１箇所から行えるようにした温水暖房機用接続装置に関する。
【０００２】
【従来の技術】
従来の温水暖房システムにおいては図５に示すように、室外に設置した熱源機２と室内に設置した放熱機３間を壁１を貫通して温水パイプ４ａ、４ｂ、電源線１２、信号線５を接続し、熱源機２への電源供給は前記電源線１２を介して供給し、放熱機３への電源供給は単独で壁１などに設けられた一般の電源コンセント６から供給するというものであり、熱源機２と放熱機３の電源供給に関しては何ら関連性を有するものではなく、その設置状況に応じて適宜別々の電源コンセント６を用いるというものであった。
【０００３】
【発明が解決しようとする課題】
しかしながら、従来の温水暖房システムのように、熱源機と放熱機の電源供給を別々の電源コンセントから供給するような場合、２つの電源コンセントが必要であり、１個しか使用できない状況においては増設する必要が生じる。また、市販の延長コンセントなどを用いることも可能であるが、外観上好ましいものではない。
【０００４】
また、放熱機の設置場所、接続部の位置、電源コンセントの場所によって熱源機と放熱機の電源コードの配線及び放熱機の温水パイプと電源コードがまちまちとなり、すっきりした配線を行うことができず、美観上好ましい状態を確保することができなかった。
【０００５】
【課題を解決するための手段】
本発明は上記課題を解決するために、加熱回路を内蔵する室外機と放熱回路を内蔵する室内機とを結ぶ温水パイプと、前記室外機へ電力を供給する電源線と、前記室外機及び室内機を接続する制御信号ケーブルとを壁を通して接続する温水暖房機用接続装置において、この温水暖房機用接続装置は前記壁に設けた取付用穴を覆うようにして取り付けられる接続ボックスと、この接続ボックスに電源を供給する電源コードを備え、前記接続ボックス内には前記温水パイプ同士を接続する継手管と、前記電源線が接続される第１のコンセントと、前記制御信号ケーブル同士を接続するコネクタとが設けられるとともに、前記第１のコンセントへの電源供給と同期して電源供給がなされる第２のコンセントを有し、前記温水暖房機用接続装置で前記室外機と前記室内機へ電源を供給するための分岐用中継部を構成するようにしている。
【０００６】
上記発明によれば、室外機に電源を供給する第１のコンセントと同期して電源供給がなされる第２のコンセントを温水暖房機用接続装置に内蔵させているため、前記第２のコンセントを用いて室内機の電源供給をすることで１個の電源コンセントを用意するだけでよく、配線工事の簡素化が図れるとともに、放熱機の温水パイプと同経路で電源コードを配線することができるため、温水パイプと電源コードが別々になるということがなく、温水パイプに沿ってすっきりした配線を行うことで美観を向上することができる。
【０００７】
また、室外機と室内機は同期して電源供給が行われるため、動作面でのアンバランスが回避でき、どちらか一方が不動作による不具合を解消することができる。
【０００８】
【発明の実施の形態】
本発明の請求項１の温水暖房機用接続装置は、加熱回路を内蔵する室外機と放熱回路を内蔵する室内機とを結ぶ温水パイプと、前記室外機へ電力を供給する電源線と、前記室外機及び室内機を接続する制御信号ケーブルとを壁を通して接続する温水暖房機用接続装置において、この温水暖房機用接続装置は前記壁に設けた取付用穴を覆うようにして取り付けられる接続ボックスと、この接続ボックスに電源を供給する電源コードを備え、前記接続ボックス内には前記温水パイプ同士を接続する継手管と、前記電源線が接続される第１のコンセントと、前記制御信号ケーブル同士を接続するコネクタとが設けられるとともに、前記第１のコンセントへの電源供給と同期して電源供給がなされる第２のコンセントを有し、前記温水暖房機用接続装置で前記室外機と前記室内機へ電源を供給するための分岐用中継部を構成するようにしている。
【０００９】
また、請求項２の温水暖房機用接続装置は、第２のコンセントは室内機の電源コード接続用としている。
【００１０】
そして、室外機に電源を供給する第１のコンセントと同期して電源供給がなされる第２のコンセントを温水暖房機用接続装置に内蔵させているため、前記第２のコンセントを用いて室内機の電源供給をすることで１個の電源コンセントを用意するだけでよく、配線工事の簡素化が図れるとともに、放熱機の温水パイプと同経路で電源コードを配線することができるため、温水パイプと電源コードが別々になるということがなく、温水パイプに沿ってすっきりした配線を行うことで美観を向上することができる。
【００１１】
また、室外機と室内機は同期して電源供給が行われるため、動作面でのアンバランスが回避でき、どちらか一方が不動作による不具合を解消することができる。
【００１２】
また、請求項３の温水暖房機用接続装置は、第２のコンセントは接続ボックスに電源を供給する電源コードに設けた構成としている。
【００１３】
そして、電源コードに第２のコンセントを設けた構成とすることで、温水暖房機用接続装置の大きさを変更することなく、コンパクトな収納を確保することができる。
【００１４】
また、請求項４の温水暖房機用接続装置は、接続ボックスに電源を供給する電源コードは接続箇所を複数個有するとともに、接続部形状を全て同一としている。
【００１５】
また、請求項５の温水暖房機用接続装置は、接続ボックスに電源を供給する電源コードは第１のコンセントに接続する接続部と略直角方向に接続口を有する第２のコンセントよりなり、両方の接続部形状を同一としている。
【００１６】
そして、複数個の接続箇所全てにおいて、第１のコンセントへの接続を可能とすることで、他の接続箇所である第２のコンセントの方向を適宜変更することができるため、放熱機の電源コードの差し込み方向を容易に変更できる。
【００１７】
また、請求項６の温水暖房機用接続装置は、接続ボックスに電源を供給する電源コードは接続箇所を回動自在な構成としている。
【００１８】
そして、接続箇所を回動自在な構成とすることで、第２のコンセントの方向を自由に設定できるようになり、放熱機の電源コードが任意の方向から差し込み可能となる。
【００１９】
また、請求項７の温水暖房機用接続装置は、室内機と継手管を接続する温水パイプには、第２コンセントに接続した室内機の電源コードをガイドする束線ガイド部を設けた構成としている。
【００２０】
そして、第２コンセントに接続した室内機の電源コードを束線ガイドを用いて配線することで、確実に温水パイプに沿った配線が可能となり、美観の向上を図ることができる。
【００２１】
【実施例】
（実施例１）
以下、本発明の実施例１を図面に基づいて説明する。図１は本発明の実施例１の温水暖房機用接続装置を用いた温水暖房システム図、図２は電源の供給形態を示す図である。
【００２２】
図１において、壁１で隔てられた室外には、バーナや熱交換器等の加熱回路を備えた室外機２が設置されている。一方、室内には放熱器やファン等を備えた室内機３が配置され、両者間は往路と復路とからなる一対の温水パイプ４ａ、４ｂによって接続され、室外機２から供給される温水を循環させることで室内機３で熱交換して室内に温風を吹き出し暖房するようになっている。また、室外機２の運転開始、停止等の運転制御は室内機３に内蔵する制御器（図示せず）により信号線５を介して行うようにし、室外機２への電力供給は室内の商用電源コンセント６に接続した電源コード７より供給するようにしている。また、室内機３への電力供給は前記商用電源コンセント６に接続した電源コード７より供給する電力供給経路の途中に分岐用の中継端子となる第２のコンセント８を設け、この第２のコンセント８に室内機３の電源コード９を接続することで行っている。
【００２３】
これらの室内、室外を結ぶ温水パイプ４ａ、４ｂ、信号線５および電源コード７、９は全て壁１に取り付けられた接続ボックス１０に集結され、この接続ボックス１０でそれぞれジョイントされている。すなわち、壁１には単一の壁穴にスリーブ１１が挿入されており、同スリーブ１１内には温水パイプ４ａ、４ｂと信号線５および室外機２の電源線１２が挿入されている。接続ボックス１０は前記壁穴を覆うようにして壁１に取り付けられ、接続ボックス１０内には室外機２および室内機３からの温水パイプ４ａと４ｂをジョイントする継手管１３と、信号線５を中継するコネクタ１４および室内の商用電源コンセント６より電源の供給を行う電源コード７を接続する第１のコンセント１５を設け、別の場所には前記第１のコンセント１５と同期して電源の供給が行われる第２のコンセント８を設けるようにしている。そして、前記第２のコンセント８に室内機３の電源コード９を接続することで室外機３と同期して電源の供給が行えるようにしている。
【００２４】
また、室内機３からの温水パイプ４ａまたは４ｂには室内機３の電源コード９を第２のコンセント８まで温水パイプ４ａ、４ｂに沿わせて配線するための束線ガイド部１６を設けている。
【００２５】
なお、本実施例では図２に示すように、第２のコンセント８を商用電源コンセント６より第１のコンセント１５に電源を供給する電源コード７の接続部に構成するようにして、接続ボックス１０の形状が大きくならないように配慮するとともに、確実に第１のコンセント１５と同期して電源供給を行うようにしている。つまり、壁１に設けられた商用電源コンセント６に電源コード７のプラグ側７ａを差し込み、他方の接続部７ｂを接続ボックス１０に設けた第１のコンセント１５に差し込む。そして、接続部７ｂと反対側に設けた第２のコンセント８に室内機３の電源コード９を差し込むことで、室外機２および室外機３への電源供給が同時に行えることになり、商用電源コンセント６は１個使用するだけでよく、使い勝手の向上が図れるとともに、室外機２と室内機３の全ての接続を接続ボックス１０で行うことができ、配管工事、配線工事をコンパクトにすることが可能となる。
【００２６】
（実施例２）
図３に本発明の実施例２の第２のコンセントの構成を示す。実施例１と同一部分は、同一符号を付与して説明を省略する。
【００２７】
実施例２は電源コード７の端部に形成する接続部を複数個設け、その接続形状を全て同一にすることで第２のコンセント８の接続口方向を適宜変更できるようにしたものである。つまり、第１のコンセント１５との接続部７ｂと第２のコンセント８の形状を同一とすることで、どちら側でも接続が可能となり、接続箇所を変更することで接続方向を適宜変更できるものである。
【００２８】
なお、本実施例では接続箇所を２個とし、直角に配置した構成で説明したが、２個に限ることではなく、その配置も直角に限定するものではない。
【００２９】
（実施例３）
図４に本発明の実施例３の第２のコンセントの構成を示す。実施例１と同一部分は、同一符号を付与して説明を省略する。
【００３０】
実施例３は、電源コード７の接続部に回動手段１７を設け、第２のコンセント８を回動自在に構成し、接続方向を任意に変更できるようにしたものである。
つまり、接続部７ｂを第１のコンセント１５に接続した後、第２のコンセント８を矢印の方向に自在に回動させることができるものである。
【００３１】
【発明の効果】
以上のように、請求項１、２の温水暖房機用接続装置によれば、室外機に電源を供給する第１のコンセントと同期して電源供給がなされる第２のコンセントを温水暖房機用接続装置に内蔵させているため、前記第２のコンセントを用いて室内機の電源供給をすることで１個の電源コンセントを用意するだけでよく、配線工事の簡素化が図れるとともに、放熱機の温水パイプと同経路で電源コードを配線することができるため、温水パイプと電源コードが別々になるということがなく、温水パイプに沿ってすっきりした配線を行うことで美観を向上することができる。
【００３２】
また、室外機と室内機は同期して電源供給が行われるため、動作面でのアンバランスが回避でき、どちらか一方が不動作による不具合を解消することができる。
【００３３】
また、請求項３の温水暖房機用接続装置によれば、電源コードに第２のコンセントを設けた構成とすることで、温水暖房機用接続装置の大きさを変更することなく、コンパクトな収納を確保することができる。
【００３４】
また、請求項４、５の温水暖房機用接続装置によれば、複数個の接続箇所全てにおいて、第１のコンセントへの接続を可能とすることで、他の接続箇所である第２のコンセントの方向を適宜変更することができるため、放熱機の電源コードの差し込み方向を容易に変更できる。
【００３５】
また、請求項６の温水暖房機用接続装置によれば、接続箇所を回動自在な構成とすることで、第２のコンセントの方向を自由に設定できるようになり、放熱機の電源コードが任意の方向から差し込み可能となる。
【００３６】
また、請求項７の温水暖房機用接続装置によれば、第２コンセントに接続した室内機の電源コードを束線ガイドを用いて配線することで、確実に温水パイプに沿った配線が可能となり、美観の向上を図ることができる。
【図面の簡単な説明】
【図１】本発明の実施例１における温水暖房機用接続装置を用いた温水暖房システム図
【図２】同装置における電源供給形態を示す図
【図３】本発明の実施例２における温水暖房機用接続装置のコンセントの構成図
【図４】本発明の実施例３における温水暖房機用接続装置のコンセントの構成図
【図５】従来例における温水暖房システム図
【符号の説明】
２  室外機
３  室内機
４ａ  温水パイプ
４ｂ  温水パイプ
５  信号線
７  電源コード
８  第２のコンセント
１０  接続ボックス
１２  電源線
１３  継手管
１４  コネクタ
１５  第１のコンセント
【図１】
0004038915.tif 000002
【図２】
0004038915.tif 000003
【図３】
0004038915.tif 000004
【図４】
0004038915.tif 000005
【図５】
0004038915.tif 000006